(57)【要約】【課題】利便性の向上が図れる画像表示装置を提供する。【解決手段】画像表示装置としてのテレビジョン受信機１は、表示部５と、スピーカ６と、操作パネル３と、表示部５、スピーカ６、および操作パネル３を制御する制御装置７とを備える。制御装置７は、複数の操作キー３１の押下状態を検出する押下状態検出部７５１と、押下状態検出部７５１にて複数の操作キー３１のうち音量調整キー３１２，３１３が押下されたと検出された場合に、スピーカ６から発生される音声の音量を調整する音量調整制御を実施する音量調整制御部７５２とを備える。音量調整制御部７５２は、押下状態検出部７５１にて複数の操作キー３１のうち少なくとも２つの操作キー３１が同時押下されたと検出された場合に、スピーカ６に音声を発生させる通常モードから、音声の発生を停止させる消音モードに切り替える。【選択図】図１
2007336072.tif 000002
【特許請求の範囲】
【請求項１】
画像情報に基づく画像を表示する表示手段と、音声情報に基づく音声を発生する発音体と、複数の操作キーを有する操作手段と、前記表示手段、前記発音体、および前記操作手段を制御する制御手段とを備えた画像表示装置であって、
前記制御手段は、
前記複数の操作キーの押下状態を検出する押下状態検出部と、
前記押下状態検出部にて前記複数の操作キーのうち前記発音体から発生される音声の音量を調整するための音量調整キーが押下されたと検出された場合に、前記発音体から発生される音声の音量を調整する音量調整制御を実施する音量調整制御部とを備え、
前記音量調整制御部は、前記押下状態検出部にて前記複数の操作キーのうち少なくとも２つの操作キーが同時押下されたと検出された場合に、前記発音体に音声を発生させる通常モードから、音声の発生を停止させる消音モードに切り替えることを特徴とする画像表示装置。
【請求項２】
請求項１に記載の画像表示装置において、
前記制御手段は、
前記消音モードから前記通常モードに戻るための操作に関する操作情報を記憶する操作情報記憶部と、
前記音量調整制御部にて前記消音モードに切り替えられた際に、前記画像に前記操作情報を重畳させて前記表示手段に表示させる表示制御部とを備えていることを特徴とする画像表示装置。
【請求項３】
請求項１または請求項２に記載の画像表示装置において、
前記制御手段は、
前記押下状態検出部にて検出された前記音量調整キーの押下時間に応じて、前記音量調整制御部に前記音量調整制御を継続して実施させる調整継続許否部を備え、
前記調整継続許否部は、前記消音モード時には、前記押下状態検出部にて検出された前記音量調整キーの押下時間に応じた前記音量調整制御部による前記音量調整制御の継続を禁止することを特徴とする画像表示装置。
【請求項４】
画像情報に基づく画像を表示する表示手段と、音声情報に基づく音声を発生する発音体と、複数の操作キーを有する操作手段と、前記表示手段、前記発音体、および前記操作手段を制御する制御手段とを備えた画像表示装置の制御方法であって、
前記制御手段が、
前記複数の操作キーの押下状態を検出する押下状態検出ステップと、
前記押下状態検出ステップにて前記複数の操作キーのうち少なくとも２つの操作キーが同時押下されたと検出した場合に、前記発音体に音声を発生させる通常モードから、音声の発生を停止させる消音モードに切り替える消音モード切替ステップとを実行することを特徴とする画像表示装置の制御方法。
【請求項５】
画像情報に基づく画像を表示する表示手段と、音声情報に基づく音声を発生する発音体と、複数の操作キーを有する操作手段と、前記表示手段、前記発音体、および前記操作手段を制御する制御手段とを備えた画像表示装置の制御プログラムであって、
前記制御手段に請求項４に記載の制御方法を実行させることを特徴とする制御プログラム。
【請求項６】
請求項５に記載の制御プログラムがコンピュータに読取可能に記録されていることを特徴とする記録媒体。
【発明の詳細な説明】
【技術分野】
【０００１】
本発明は、画像表示装置、この制御方法、この制御プログラム、およびこの制御プログラムを記録した記録媒体に関する。
【背景技術】
【０００２】
従来、テレビジョン受信機等の画像表示装置において、スピーカ（発音体）から発生される音声の音量調整は、画像表示装置の装置本体（筺体）に露出して設けられる操作パネルや、画像表示装置の装置本体を遠隔操作するリモートコントローラを操作することにより実施する。
このような画像表示装置では、リモートコントローラには、一般的に、スピーカから発生される音声の音量を調整する音量アップキーおよび音量ダウンキーの他、スピーカからの音声の発生を停止させるミュート操作キーが設けられている。これに対して、操作パネルは、簡素化するために、操作キーの数を絞ってあるため、音量アップキーおよび音量ダウンキーが設けられているが、ミュート操作キーが設けられていないことが多い。
ところで、リモートコントローラは、その独立した形状から、置き場所が不明確になることがある。そして、利用者は、例えば、電話の着信があった場面等、スピーカからの音声の発生を停止する必要がある場合に、リモートコントローラが見当たらないと、操作パネルの音量ダウンキーを複数回押下するか、若しくは、操作パネルの音量ダウンキーを押し続けなければならない。すなわち、上述した場合には、操作パネルの操作が煩雑化し、スピーカからの音声の発生を容易に停止することができない。
【０００３】
そこで、電話の着信があった場面で、スピーカからの音声の発生を容易に停止できる技術が提案されている（例えば、特許文献１参照）。
特許文献１に記載の技術は、電話の着信があった場合に、テレビジョン受信機に対し、音量を下げさせる「ミュート」制御信号を赤外線リモコン信号にて自動的に送出するようにしたコードレス電話装置に関する技術である。
【０００４】
【特許文献１】特開平５−１３０１８１号公報
【発明の開示】
【発明が解決しようとする課題】
【０００５】
しかしながら、特許文献１に記載の技術では、電話の着信があった場面でのみ利用でき、その他の場面でスピーカからの音声の発生を停止する必要がある場合には利用することができず、利便性の向上が図れない。
【０００６】
本発明の目的は、利便性の向上が図れる画像表示装置、この制御方法、この制御プログラム、およびこの制御プログラムを記録した記録媒体を提供することにある。
【課題を解決するための手段】
【０００７】
本発明の画像表示装置は、画像情報に基づく画像を表示する表示手段と、音声情報に基づく音声を発生する発音体と、複数の操作キーを有する操作手段と、前記表示手段、前記発音体、および前記操作手段を制御する制御手段とを備えた画像表示装置であって、前記制御手段は、前記複数の操作キーの押下状態を検出する押下状態検出部と、前記押下状態検出部にて前記複数の操作キーのうち前記発音体から発生される音声の音量を調整するための音量調整キーが押下されたと検出された場合に、前記発音体から発生される音声の音量を調整する音量調整制御を実施する音量調整制御部とを備え、前記音量調整制御部は、前記押下状態検出部にて前記複数の操作キーのうち少なくとも２つの操作キーが同時押下されたと検出された場合に、前記発音体に音声を発生させる通常モードから、音声の発生を停止させる消音モードに切り替えることを特徴とする。
ここで、操作手段としては、画像表示装置の筺体に露出して設けられる操作パネルや、画像表示装置を遠隔操作可能とするリモートコントローラが例示できる。
【０００８】
本発明では、画像表示装置は、押下状態検出部と、音量調整制御部とを含んで構成される制御手段を備えているので、以下に示すように、発音体からの音声の発生を停止させる消音処理を実行できる。
先ず、押下状態検出部は、利用者による操作手段の操作により、操作手段の複数の操作キーの押下状態を検出する（押下状態検出ステップ）。
ここで、音量調整制御部は、押下状態検出部にて複数の操作キーのうち少なくとも２つの操作キーが同時押下されたと検出された場合に、発音体に音声を発生させる通常モードから、音声の発生を停止させる消音モードに切り替える（消音モード切替ステップ）。
【０００９】
以上のような構成により、利用者は、例えば、電話の着信があった場面等、発音体からの音声の発生を停止する必要がある場合に、操作手段の複数の操作キーのうち少なくとも２つ以上の操作キーを同時押下することで、発音体からの音声の発生を容易に停止できる。すなわち、利用者は、上述した場合において、ミュート操作キーが設けられているリモートコントローラが見当たらない場合であっても、操作パネル等の操作手段に上述した操作を実施することで、発音体からの音声の発生を容易に停止できる。また、利用者は、上述した場合において、リモートコントローラおよび操作パネルの双方にミュート操作キーが設けられていない場合であっても、リモートコントローラや操作パネル等の操作手段に上述した操作を実施することで、発音体からの音声の発生を容易に停止できる。
また、利用者は、電話の着信があった場面に限らず、例えば、来客が訪問してきた場面時等、その他の場面においても、上述した操作により、発音体からの音声の発生を容易に停止できる。
したがって、本発明の画像表示装置によれば、利便性の向上が図れる。
【００１０】
本発明の画像表示装置では、前記制御手段は、前記消音モードから前記通常モードに戻るための操作に関する操作情報を記憶する操作情報記憶部と、前記音量調整制御部にて前記消音モードに切り替えられた際に、前記画像に前記操作情報を重畳させて前記表示手段に表示させる表示制御部とを備えていることが好ましい。
本発明では、制御手段は、操作情報記憶部と、表示制御部とを備えているので、以下に示すように、利用者に対して消音モードの解除方法を認識させる表示処理を実行できる。
すなわち、上述した消音モード切替ステップの後、表示制御部は、操作情報記憶部から操作情報を読み出す。そして、表示制御部は、画像に操作情報を重畳させて表示手段に表示させる。
したがって、利用者は、表示手段に表示された操作情報により、消音モードから通常モードに戻る操作を容易に認識できる。そして、利用者は、該操作を実施することで、発音体からの音声を認識できる。
【００１１】
本発明の画像表示装置では、前記制御手段は、前記押下状態検出部にて検出された前記音量調整キーの押下時間に応じて、前記音量調整制御部に前記音量調整制御を継続して実施させる調整継続許否部を備え、前記調整継続許否部は、前記消音モード時には、前記押下状態検出部にて検出された前記音量調整キーの押下時間に応じた前記音量調整制御部による前記音量調整制御の継続を禁止することが好ましい。
本発明では、制御手段は、調整継続許否部を備えている。そして、調整継続許否部は、通常モード時には、押下状態検出部にて検出された音量アップキーや音量ダウンキー等の音量調整キーの押下時間に応じた音量調整制御部による音量調整制御の継続（キーリピート処理）を許可する。また、調整制御許否部は、消音モード時には、押下状態検出部にて検出された音量調整キーの押下時間に応じた音量調整制御部によるキーリピート処理を禁止する。このことにより、例えば、音量アップキーの押下により、消音モードから通常モードに戻れる構成とした場合に、以下の効果がある。
すなわち、例えば、消音モード時において、キーリピート処理を許可してしまうと、発音体から音声の発生が停止されている状態から、音量アップキーの押下により消音モードから通常モードに切り替えられ、さらに、音量アップキーの押下時間に応じて急に発音体からの音声の音量が増加し、利用者に不快感を与えてしまう。
これに対して、本発明のように、消音モード時において、キーリピート処理を禁止することで、音量アップキーが継続して押下された場合でも、消音モードを解除して通常モードに切り替えられるに留まり、発音体からの音声の音量が増加することがなく、利用者に不快感を与えることがない。
【００１２】
本発明の画像表示装置の制御方法は、画像情報に基づく画像を表示する表示手段と、音声情報に基づく音声を発生する発音体と、複数の操作キーを有する操作手段と、前記表示手段、前記発音体、および前記操作手段を制御する制御手段とを備えた画像表示装置の制御方法であって、前記制御手段が、前記複数の操作キーの押下状態を検出する押下状態検出ステップと、前記押下状態検出ステップにて前記複数の操作キーのうち少なくとも２つの操作キーが同時押下されたと検出した場合に、前記発音体に音声を発生させる通常モードから、音声の発生を停止させる消音モードに切り替える消音モード切替ステップとを実行することを特徴とする。
本発明の画像表示装置の制御方法は、上述した画像表示装置によって実施されるものであるので、上述した画像表示装置と同様の作用および効果を享受できる。
【００１３】
本発明の画像表示装置の制御プログラムは、画像情報に基づく画像を表示する表示手段と、音声情報に基づく音声を発生する発音体と、複数の操作キーを有する操作手段と、前記表示手段、前記発音体、および前記操作手段を制御する制御手段とを備えた画像表示装置の制御プログラムであって、前記制御手段に上述した制御方法を実行させることを特徴とする。
【００１４】
本発明の記録媒体は、上述した制御プログラムがコンピュータに読取可能に記録されていることを特徴とする。
【００１５】
以上のような構成の制御プログラムおよび記録媒体は、上述した制御方法を実施するために利用されるので、上述した制御方法と同様の作用および効果を享受できる。
【発明を実施するための最良の形態】
【００１６】
以下、本発明の実施の一形態を図面に基づいて説明する。
〔テレビジョン受信機の構成〕
図１は、テレビジョン受信機１の構成を示すブロック図である。
画像表示装置としてのテレビジョン受信機１は、視聴者により選択されたチャンネルに係る周波数のテレビジョン放送信号を受信し、該テレビジョン放送信号に基づくテレビジョン映像を表示するとともに、該テレビジョン放送信号に基づく音声を発生するものである。このテレビジョン受信機１は、図１に示すように、チューナ２と、操作手段としての操作パネル３と、リモートコントローラ４と、表示手段としての表示部５と、発音体としてのスピーカ６と、制御手段としての制御装置７等を備える。
【００１７】
チューナ２は、アンテナＡＮＴを介して受信されるテレビジョン放送信号のうち、制御装置７による制御の下、所定のチャンネルに係る周波数のテレビジョン放送信号を選択して受信する。そして、チューナ２は、受信したテレビジョン放送信号を一定周波数の信号に変換して制御装置７に出力する。
【００１８】
操作パネル３は、テレビジョン受信機１の図示しない筺体に露出して設けられ、視聴者により操作可能な複数の操作キー３１を備える。そして、操作パネル３は、操作キー３１が押下されると、当該操作キーに応じた操作信号を制御装置７に出力する。ここで、複数の操作キー３１は、図１に示すように、所定のチャンネルを設定入力するための複数のチャンネル操作キー３１１、スピーカ６から発生される音声の音量を増加させるための音量調整キーとしての音量アップキー３１２、スピーカ６から発生される音声の音量を減少させるための音量調整キーとしての音量ダウンキー３１３等を含んで構成される。そして、操作パネル３は、チャンネル操作キー３１１の押下によるチャンネル切替操作信号、音量アップキー３１２の押下による音量アップ操作信号、音量ダウンキー３１３の押下による音量ダウン操作信号等の操作信号を制御装置７に出力する。
なお、図１では、複数の操作キー３１におけるテレビジョン受信機１の電源ＯＮ／ＯＦＦを実施する操作キー、映像の調整（サイズ調整、画質調整等）を実施する操作キー等の他の操作キーについては、図示を省略している。
【００１９】
リモートコントローラ４は、具体的な図示は省略したが、操作パネル３と略同様の操作キーを備え、視聴者により操作キーが押下されると、当該操作キーに応じた操作信号を赤外線により制御装置７に送信する。
また、リモートコントローラ４は、具体的な図示は省略したが、操作パネル３には設けられていない操作キーとして、スピーカ６からの音声の発生を停止させる消音モードに移行させるためのミュート操作キーを有している。そして、リモートコントローラ４は、ミュート操作キーの押下によるミュート操作信号を赤外線により制御装置７に送信する。
なお、リモートコントローラ４は、赤外線によって操作信号を送信する構成としたが、電波によって操作信号を送信するように構成しても構わない。
【００２０】
表示部５は、制御装置７による制御の下、テレビジョン放送信号に基づくテレビジョン映像等を表示するものである。
スピーカ６は、制御装置７による制御の下、テレビジョン放送信号に基づく音声を発生するものである。
【００２１】
制御装置７は、チューナ２、操作パネル３、リモートコントローラ４、表示部５、スピーカ６等を制御する。この制御装置７は、図１に示すように、信号処理部７１と、情報分離部７２と、画像情報処理部７３と、音声情報処理部７４と、制御部７５と、メモリ７６等を備える。
信号処理部７１は、操作パネル３から出力された操作信号を入力し、制御部７５にて読取可能な信号（デジタル信号）に変換して制御部７５に出力する。また、信号処理部７１は、リモートコントローラ４から送信された赤外線の操作信号を受信し、制御部７５にて読取可能な信号（デジタル信号）に変換して制御部７５に出力する。
【００２２】
情報分離部７２は、例えば、デマルチプレクサ等で構成され、チューナ２により変換された信号から、画像情報、音声情報、およびＥＰＧ(Electronic Program Guide)情報等を分離、抽出する。これらのうち、画像情報は、画像情報処理部７３に出力される。また、音声情報は、音声情報処理部７４に出力される。さらに、ＥＰＧ情報は、ＥＰＧ情報処理部（図示略）にて処理され、適宜、表示部５に表示される。
【００２３】
画像情報処理部７３は、情報分離部７２から出力された画像情報に対して、画像処理および描画処理を行う。この画像情報処理部７３は、図１に示すように、画像処理部７３１と、描画処理部７３２と、バッファ７３３と、画像出力部７３４とを備える。
画像処理部７３１は、情報分離部７２から出力された画像情報を、表示部５の仕様に適応する１フレーム毎の画像情報に変換して描画処理部７３２に出力する。
描画処理部７３２は、画像処理部７３１から出力された画像情報に対し、制御部７５の制御の下、画像サイズの調整や表示位置の調整、表示部５に表示される画像の形成等を行い、バッファ７３３に１フレームの表示画像として出力する。
画像出力部７３４は、バッファ７３３内に格納された表示画像を読み取り、画像信号として表示部５に出力する。そして、表示部５は、チューナ２にて受信されたテレビジョン放送信号に基づくテレビジョン映像を表示する。
【００２４】
音声情報処理部７４は、情報分離部７２から出力された音声情報に対して、音声処理を行う。この音声情報処理部７４は、図１に示すように、音声出力部７４１と、音量調整部７４２とを備える。
音声出力部７４１は、音声情報に基づいて、音声信号を生成して音量調整部７４２に出力する。
音量調整部７４２は、制御部７５の制御の下、音声出力部７４１から出力された音声信号の音量（信号レベル）を調整して、スピーカ６に出力する。そして、スピーカ６は、音声情報に基づく音声を発生する。
【００２５】
制御部７５は、メモリ７６から制御プログラムを読み込んで実行するＣＰＵ(Central Processing Unit)等で構成され、テレビジョン受信機１全体を制御するものであり、図１に示すように、押下状態検出部７５１と、音量調整制御部７５２と、タイマ７５３と、調整継続許否部７５４と、表示制御部７５５等を備える。
押下状態検出部７５１は、信号処理部７１を介して入力した操作信号（デジタル信号）に基づいて、例えば、以下に示すように、操作パネル３やリモートコントローラ４の複数の操作キーの押下状態を検出する。
押下状態検出部７５１は、信号処理部７１を介して入力したチャンネル切替操作信号（デジタル信号）に基づいて、操作パネル３やリモートコントローラ４のいずれかのチャンネル操作キーが押下されたことを検出し、視聴者により選択されたチャンネルを認識する。そして、制御部７５は、チューナ２を制御し、押下状態検出部７５１にて認識されたチャンネルに係る周波数のテレビジョン放送信号をチューナ２に受信させる。
【００２６】
また、押下状態検出部７５１は、信号処理部７１を介して入力した音量アップ操作信号（デジタル信号）に基づいて、操作パネル３やリモートコントローラ４の音量アップキーが押下されたことを検出する。同様に、押下状態検出部７５１は、信号処理部７１を介して入力した音量ダウン操作信号（デジタル信号）に基づいて、操作パネル３やリモートコントローラ４の音量ダウンキーが押下されたことを検出する。
さらに、押下状態検出部７５１は、信号処理部７１を介して入力したミュート操作信号（デジタル信号）に基づいて、リモートコントローラ４のミュート操作キーが押下されたことを検出する。
さらにまた、押下状態検出部７５１は、同一の操作信号が継続して入力している場合に、操作パネル３やリモートコントローラ４の操作キーが継続して押下されていることを検出する。
また、押下状態検出部７５１は、異なる２以上の操作信号が同時に入力した場合に、操作パネル３の複数の操作キー３１のうち少なくとも２つの操作キーが同時に押下されていることを検出する。
【００２７】
音量調整制御部７５２は、押下状態検出部７５１にて操作パネル３やリモートコントローラ４の音量アップキーまたは音量ダウンキーが押下されていることが検出された場合に、音声情報処理部７４に所定の制御指令を出力し、音量調整部７４２に音声信号の音量を調整させ、スピーカ６から発生される音声の音量を調整する音量調整制御を実施する。
また、音量調整制御部７５２は、押下状態検出部７５１にて操作パネル３の複数の操作キー３１のうち少なくとも２の操作キーが同時に押下されていることが検出された場合に、音声情報処理部７４に所定の制御指令を出力し、音量調整部７４２に音声信号の音量を０に設定させ、スピーカ６に音声を発生させる通常モードから、音声の発生を停止させる消音モードに切り替える。また、音量調整制御部７５２は、押下状態検出部７５１にてリモートコントローラ４のミュート操作キーが押下されたことが検出された場合にも同様に、音声情報処理部７４に所定の制御指令を出力し、通常モードから消音モードに切り替える。
【００２８】
さらに、音量調整制御部７５２は、通常モードから消音モードに切り替えた状態で、押下状態検出部７５１にて操作パネル３やリモートコントローラ４の音量アップキーが押下されたことが検出された場合に、音声情報処理部７４に所定の制御指令を出力し、消音モードを解除し、消音モードから通常モードに切り替える。
さらにまた、音量調整制御部７５２は、調整継続許否部７５４にてキーリピートが許可されている状態では、押下状態検出部７５１にて操作パネル３やリモートコントローラ４の音量アップキーまたは音量ダウンキーが継続して押下されていることが検出された場合に、タイマ７５３にて計測された押下状態検出部７５１における前記検出状態の時間（押下時間）に応じて、音量調整制御の継続処理（キーリピート処理）を実施する。
また、音量調整制御部７５２は、調整継続許否部７５４にてキーリピートが禁止されている状態では、押下状態検出部７５１にて操作パネル３やリモートコントローラ４の音量アップキーまたは音量ダウンキーが継続して押下されていることが検出された場合であっても、キーリピート処理を実施しない。
【００２９】
タイマ７５３は、押下状態検出部７５１にて操作パネル３やリモートコントローラ４の操作キーが継続して押下されている旨の検出状態の継続時間（押下時間）を計測する。
調整継続許否部７５４は、通常モード時においては、音量調整制御部７５２におけるキーリピート処理を許可する。また、調整制御許否部７５４は、消音モード時においては、音量調整制御部７５２におけるキーリピート処理を禁止する。
【００３０】
表示制御部７５５は、視聴者により操作され操作パネル３やリモートコントローラ４から出力される映像の調整を実施する旨の操作信号や、メモリ７６に記憶された制御プログラムにしたがって、画像情報処理部７３に所定の制御指令を出力し、画像情報処理部７３に画像情報に対して上述した処理を実行させる。そして、表示制御部７５５は、チューナ２にて受信されたテレビジョン放送信号に基づくテレビジョン映像を表示部５に表示させる。
また、表示制御部７５５は、通常モードから消音モードに切り替えられた際に、メモリ７６に記憶された操作情報を読み出し、画像情報処理部７３に所定の制御指令とともに操作情報を出力して、画像情報処理部７３に処理を実行させ、テレビジョン映像に操作情報を重畳させて表示部５に表示させる。
【００３１】
メモリ７６は、制御部７５による処理に必要な情報、制御部７５にて処理された情報を記憶する。ここで、制御部７５による処理に必要な情報としては、例えば、制御プログラム、キーリピート処理に必要な設定時間に関する設定時間情報、および、操作情報がある。
なお、操作情報としては、消音モードから通常モードに戻るための操作に関する情報であり、例えば、「音量アップキーを押すことで消音モード解除できます。」というデータが例示できる。
すなわち、メモリ７６は、本発明に係る操作情報記憶部に相当する。
【００３２】
〔テレビジョン受信機の制御方法〕
次に、上述した制御装置７によるテレビジョン受信機１の制御方法を図面に基づいて説明する。
図２および図３は、制御装置７によるテレビジョン受信機１の制御方法を説明するフローチャートである。
図４は、テレビジョン受信機１の制御方法を説明するための図である。具体的に、図４は、表示部５に表示される情報を示す図である。
なお、以下では、操作パネル３が操作されることにより制御装置７が実施するスピーカ６の制御を主に説明し、他の制御については、説明を省略する。また、テレビジョン受信機１の電源がＯＮ状態であり、通常モードに設定された状態から開始するものとする。
先ず、制御装置７の押下状態検出部７５１は、視聴者により操作パネル３が操作され、操作パネル３から信号処理部７１を介して操作信号を入力したか否かを常時、監視する（ステップＳ１）。
【００３３】
ステップＳ１において、押下状態検出部７５１は、信号処理部７１を介して操作信号を入力することで、操作パネル３の操作キー３１の押下状態を検出する（ステップＳ２：押下状態検出ステップ）。
ステップＳ２の後、制御部７５は、ステップＳ２において操作パネル３の複数の操作キー３１のうち少なくとも２以上の操作キーが同時に押下されていることを押下状態検出部７５１が検出したか否かを判定する（ステップＳ３）。
【００３４】
ステップＳ３において、制御部７５が「Ｙ」と判定した場合、すなわち、ステップＳ２において操作パネル３の複数の操作キー３１のうち少なくとも２以上の操作キーが同時に押下されていることを押下状態検出部７５１が検出した場合には、制御部７５の音量調整制御部７５２は、音声情報処理部７４に所定の制御指令を出力し、通常モードから消音モードに切り替える（ステップＳ４：消音モード切替ステップ）。
【００３５】
ステップＳ４の後、制御部７５の調整継続許否部７５４は、音量調整制御部７５２におけるキーリピート処理を禁止する（ステップＳ５）。すなわち、視聴者は、操作パネル３やリモートコントローラ４の音量アップキーや音量ダウンキーを継続して押下しても、音量調整制御部７５２におけるキーリピート処理が禁止されているため、スピーカ６から発生される音声の音量が継続して増加または減少しない状態となる。
【００３６】
ステップＳ５の後、制御部７５の表示制御部７５５は、メモリ７６に記憶された操作情報を読み出す（ステップＳ６）。
ステップＳ５の後、表示制御部７５５は、画像情報処理部７３に所定の制御指令とともに操作情報を出力し、画像情報処理部７３に処理を実行させ、図４に示すように、テレビジョン映像Ｄ０に「音量アップキーを押すことで消音モードを解除できます」という旨の操作情報Ｄ１を重畳させて表示部５に表示させる（ステップＳ７）。そして、表示制御部７５５は、表示部５に操作情報Ｄ１を表示させることで、視聴者に対して、消音モードを解除し通常モードに切り替えるための操作方法を認識させる。
【００３７】
ステップＳ７の後、押下状態検出部７５１は、視聴者により操作パネル３が操作され、操作パネル３から信号処理部７１を介して音量アップ操作信号を入力したか否かを常時、監視する（ステップＳ８）。
ステップＳ８において、制御部７５は、信号処理部７１を介して音量アップ操作信号が入力されず操作パネル３の音量アップキー３１２が押下されたことを押下状態検出部７５１が検出していない場合には、ステップＳ７に戻り、操作情報Ｄ１の表示状態を継続する。
【００３８】
一方、ステップＳ８において、信号処理部７１を介して音量アップ操作信号を入力し操作パネル３の音量アップキー３１２が押下されたことを押下状態検出部７５１が検出した場合には、音量調整制御部７５２は、音声情報処理部７４に所定の制御指令を出力し、消音モードを解除し、通常モードに切り替える（ステップＳ９）。そして、視聴者は、スピーカ６から発生される音声を認識する。
なお、操作情報Ｄ１の表示状態としては、上述したように、消音モードが解除されるまで、継続して操作情報Ｄ１を表示させる状態としてもよく、あるいは、操作情報Ｄ１の表示開始から所定時間後に、操作情報Ｄ１の表示状態を停止し、テレビジョン映像Ｄ０のみを表示させるように構成しても構わない。
そして、ステップＳ９の後は、再度、ステップＳ１に戻る。
【００３９】
ステップＳ３において、制御部７５は、「Ｎ」と判定した場合、すなわち、ステップＳ２において操作パネル３の各操作キー３１のうちいずれかの操作キーが押下されたと押下状態検出部７５１が検出した場合には、押下された操作キー３１に応じた処理を実行する（ステップＳ１０）。
具体的には、制御部７５は、ステップＳ２において操作パネル３のいずれかのチャンネル操作キー３１１が押下され視聴者により選択されたチャンネルを押下状態検出部７５１が認識した場合には、該認識したチャンネルに係る周波数のテレビジョン放送信号をチューナ２に受信させ、該テレビジョン放送信号に基づくテレビジョン映像を表示部５に表示させるとともに、該テレビジョン放送信号に基づく音声をスピーカ６に発生させる。
また、制御部７５は、ステップＳ２において操作パネル３の音量アップキー３１２あるいは音量ダウンキー３１３が押下されたと押下状態検出部７５１が検出した場合には、スピーカ６から発生される音声の音量の音量レベルを１増加あるいは１減少させる音量調整制御を実施する。
【００４０】
ステップＳ１０の後、制御部７５は、ステップＳ２において操作パネル３の音量アップキー３１２あるいは音量ダウンキー３１３のリピート有効キーが押下されたと押下状態検出部７５１が検出したか否かを判定する（ステップＳ１１）。
ステップＳ１１において、制御部７５は、「Ｎ」と判定した場合、すなわち、ステップＳ２において操作パネル３のリピート有効キー以外の操作キー３１が押下されたと押下状態検出部７５１が検出した場合には、前記リピート有効キー以外の操作キー３１が継続して押下されていることを押下状態検出部７５１が検出したか否かを判定する（ステップＳ１２）。
ステップＳ１２において、制御部７５は、「Ｎ」と判定した場合、すなわち、ステップＳ２における前記リピート有効キー以外の操作キー３１の押下が継続されておらず、離された場合には、再度、ステップＳ１に戻る。
【００４１】
一方、ステップＳ１２において、制御部７５は、「Ｙ」と判定した場合、すなわち、ステップＳ２における前記リピート有効キー以外の操作キー３１の押下が継続されている場合には、前記リピート有効キー以外の操作キー３１の他の操作キー３１も押下された、すなわち、操作パネル３の複数の操作キー３１のうち少なくとも２つの操作キーが同時に押下されていることを押下状態検出部７５１が検出したか否かを判定する（ステップＳ１３）。
【００４２】
ステップＳ１３において、制御部７５は、「Ｎ」と判定した場合、すなわち、操作パネル３の複数の操作キー３１のうち少なくとも２つの操作キーが同時に押下されていることを押下状態検出部７５１が検出していない場合には、再度、ステップＳ１２に戻る。
一方、ステップＳ１３において、制御部７５は、「Ｙ」と判定した場合、すなわち、操作パネル３の複数の操作キー３１のうち少なくとも２つの操作キーが同時に押下されていることを押下状態検出部７５１が検出した場合には、ステップＳ４に移行する。
【００４３】
ステップＳ１１において、制御部７５が「Ｙ」と判定した場合、すなわち、ステップＳ２において操作パネル３のリピート有効キーが押下されたと押下状態検出部７５１が検出した場合には、制御部７５のタイマ７５３は、時間の計測を開始する（ステップＳ１４）。
ステップＳ１４の後、制御部７５は、リピート有効キーが継続して押下されていることを押下状態検出部７５１が検出したか否かを判定する（ステップＳ１５）。
ステップＳ１５において、制御部７５は、「Ｎ」と判定した場合、すなわち、ステップＳ２におけるリピート有効キーの押下が継続されておらず、離された場合には、再度、ステップＳ１に戻る。
【００４４】
一方、ステップＳ１５において、制御部７５は、「Ｙ」と判定した場合、すなわち、ステップＳ２におけるリピート有効キーの押下が継続されている場合には、操作パネル３のリピート有効キーの他の操作キー３１も押下された、すなわち、操作パネル３の複数の操作キー３１のうち少なくとも２つの操作キーが同時に押下されていることを押下状態検出部７５１が検出したか否かを判定する（ステップＳ１６）。
なお、ステップＳ２において押下状態検出部７５１により押下されたと検出されたリピート有効キーが音量アップキー３１２である場合には、前記他の操作キー３１に音量ダウンキー３１３も含むものである。同様に、押下されたと検出されたリピート有効キーが音量ダウンキー３１３である場合には、前記他の操作キー３１に音量アップキー３１２も含むものである。
【００４５】
ステップＳ１６において、制御部７５は、「Ｙ」と判定した場合、すなわち、操作パネル３の複数の操作キー３１のうち少なくとも２つの操作キーが同時に押下されていることを押下状態検出部７５１が検出した場合には、ステップＳ４に移行する。
一方、ステップＳ１６において、制御部７５は、「Ｎ」と判定した場合、すなわち、操作パネル３の複数の操作キー３１のうち少なくとも２つの操作キーが同時に押下されていることを押下状態検出部７５１が検出していない場合には、メモリ７６に記憶された設定時間情報を読み出す。そして、制御部７５は、ステップＳ１４においてタイマ７５３が計測を開始してからの計測時間（押下時間）と、設定時間情報に基づく第１の設定時間Ｔ１とを比較し、計測時間が設定時間Ｔ１以上であるか否かを判定する（ステップＳ１７）。
【００４６】
ステップＳ１７において、制御部７５は、「Ｎ」と判定した場合、すなわち、計測時間が設定時間Ｔ１未満であると判定した場合には、再度、ステップＳ１５に戻る。
一方、ステップＳ１７において、制御部７５は、「Ｙ」と判定した場合、すなわち、計測時間が設定時間Ｔ１以上であると判定した場合には、ステップＳ１０において実施した音量調整制御を再度、実施する（ステップＳ１８）。
【００４７】
ステップＳ１８の後、タイマ７５３は、ステップＳ１４において開始した時間の計測を停止し、再度、時間の計測を開始する（ステップＳ１９）。
ステップＳ１９の後、制御部７５は、ステップＳ１５と同様に、リピート有効キーが継続して押下されていることを押下状態検出部７５１が検出したか否かを判定する（ステップＳ２０）。
ステップＳ２０において、制御部７５は、「Ｎ」と判定した場合、すなわち、ステップＳ２におけるリピート有効キーの押下が継続されておらず、離された場合には、再度、ステップＳ１に戻る。
【００４８】
一方、ステップＳ２０において、制御部７５は、「Ｙ」と判定した場合、すなわち、ステップＳ２におけるリピート有効キーの押下が継続されている場合には、ステップＳ１６と同様に、操作パネル３のリピート有効キーの他の操作キー３１も押下された、すなわち、操作パネル３の複数の操作キー３１のうち少なくとも２つの操作キーが同時に押下されていることを押下状態検出部７５１が検出したか否かを判定する（ステップＳ２１）。
ステップＳ２１において、制御部７５は、「Ｙ」と判定した場合、すなわち、操作パネル３の複数の操作キー３１のうち少なくとも２つの操作キーが同時に押下されていることを押下状態検出部７５１が検出した場合には、ステップＳ４に移行する。
【００４９】
一方、ステップＳ２１において、制御部７５は、「Ｎ」と判定した場合、すなわち、操作パネル３の複数の操作キー３１のうち少なくとも２つの操作キーが同時に押下されていることを押下状態検出部７５１が検出していない場合には、メモリ７６に記憶された設定時間情報を読み出す。そして、制御部７５は、ステップＳ１９においてタイマ７５３が計測を開始してからの計測時間（押下時間）と、設定時間情報に基づく第２の設定時間Ｔ２とを比較し、計測時間が設定時間Ｔ２以上であるか否かを判定する（ステップＳ２２）。
なお、第１の設定時間Ｔ１と第２の設定時間Ｔ２は、同一時間であっても、異なる時間であっても構わない。
【００５０】
ステップＳ２２において、制御部７５は、「Ｎ」と判定した場合、すなわち、計測時間が設定時間Ｔ２未満であると判定した場合には、再度、ステップＳ２０に戻る。
一方、ステップＳ２２において、制御部７５は、「Ｙ」と判定した場合、すなわち、計測時間が設定時間Ｔ２以上であると判定した場合には、再度、ステップＳ１８に戻り、ステップＳ１０において実施した音量調整制御を再度、実施する。すなわち、ステップＳ１８において実施される処理は、上述した音量調整制御部７５２により実行されるキーリピート処理に相当する。
【００５１】
上述した実施形態においては、以下の効果がある。
本実施形態では、テレビジョン受信機１は、押下状態検出部７５１および音量調整制御部７５２を含んで構成される制御装置７を備えている。このことにより、視聴者は、例えば、電話の着信があった場面等、スピーカ６からの音声の発生を停止する必要がある場合に、操作パネル３の複数の操作キー３１のうち少なくとも２つの操作キーを同時押下することで、スピーカ６からの音声の発生を容易に停止できる。すなわち、視聴者は、上述した場合において、ミュート操作キーが設けられているリモートコントローラ４が見当たらない場合であっても、操作パネル３に上述した操作を実施することで、スピーカ６からの音声の発生を容易に停止できる。
また、視聴者は、電話の着信があった場面に限らず、例えば、来客が訪問してきた場面等、その他の場面においても、上述した操作により、スピーカ６からの音声の発生を容易に停止できる。
したがって、本実施形態のテレビジョン受信機１によれば、利便性の向上が図れる。
【００５２】
また、制御装置７は、メモリ７６と、メモリ７６に記憶された操作情報Ｄ１をテレビジョン映像Ｄ０に重畳させて表示部５に表示させる表示制御部７５５とを備えている。このことにより、視聴者は、表示部５に表示された操作情報Ｄ１により、消音モードから通常モードに戻る操作を容易に認識できる。そして、視聴者は、前記操作を実施することで、スピーカ６からの音声を認識できる。
【００５３】
さらに、制御装置７は、調整継続許否部７５４を備えている。そして、調整継続許否部７５４は、通常モード時には、押下状態検出部７５１にて検出されたリピート有効キーの押下時間に応じた音量調整制御部７５２によるキーリピート処理を許可する。また、調整継続許否部７５４は、消音モード時には、押下状態検出部７５１にて検出されたリピート有効キーの押下時間に応じた音量調整制御部７５２によるキーリピート処理を禁止する。このことにより、例えば、消音モード時において、キーリピート処理を許可してしまうと、スピーカ６から音声の発生が停止されている状態から、音量アップキー３１２の押下により消音モードから通常モードに切り替えられ、さらに、音量アップキー３１２の押下時間に応じて急にスピーカ６からの音声の音量が増加し、利用者に不快感を与えてしまうところ、消音モード時において、キーリピート処理を禁止することで、音量アップキー３１２が継続して押下された場合でも、消音モードを解除して通常モードに切り替えられるに留まり、スピーカ６からの音声の音量が増加することがなく、利用者に不快感を与えることがない。
【００５４】
なお、本発明は前述の実施形態に限定されるものではなく、本発明の目的を達成できる範囲での変形、改良等は本発明に含まれるものである。
前記実施形態では、本発明の操作手段として操作パネル３を採用していたが、リモートコントローラ４を採用しても構わない。すなわち、リモートコントローラ４の複数の操作キーのうち少なくとも２つの操作キーが同時押下されることで、通常モードから消音モードに切り替える構成としても構わない。また、リモートコントローラ４にミュート操作キーが設けられていたが、これに限らず、ミュート操作キーを設けない構成としても構わない。
【００５５】
前記実施形態では、操作情報Ｄ１として、「音量アップキーを押すことで消音モード解除できます」というデータを採用したが、これに限らず、消音モードから通常モードに戻るための操作に関する情報であれば、いずれの情報でも構わない。
また、前記実施形態では、消音モードを解除する操作として、音量アップキーの押下を採用したが、前記操作はこれに限らず、その他の操作で消音モードを解除する構成としても構わない。
【００５６】
前記実施形態では、本発明の画像表示装置として、テレビジョン受信機１を採用したが、これに限らず、画像情報および音声情報に基づいて、画像表示および音声発生を実施する装置であれば、いずれの画像表示装置でも構わない。例えば、画像表示装置として、フロントプロジェクタ、リアプロジェクタ、プラズマテレビ、液晶テレビ、ＣＲＴ(Cathode Ray Tube)方式テレビ、ＤＶＤ(Digital Versatile Disc)等の記録媒体から画像情報および音声情報を入力し、画像情報および音声情報に基づく画像表示および音声発生を実施するＤＶＤプレーヤ等の再生装置を採用しても構わない。また、表示部５としては、液晶パネルまたは、デジタル・マイクロミラー・デバイス（テキサスインスツルメント社商標）、ＰＤＰ(Plasma Display Panel)等を備える電気光学装置、および、ＣＲＴディスプレイ等で構成できるものである。
【産業上の利用可能性】
【００５７】
本発明は、利便性の向上が図れるので、テレビジョン受信機等の画像表示装置に利用できる。
【図面の簡単な説明】
【００５８】
【図１】本実施形態におけるテレビジョン受信機の構成を示すブロック図。
【図２】前記実施形態における制御装置によるテレビジョン受信機の制御方法を説明するフローチャート。
【図３】前記実施形態における制御装置によるテレビジョン受信機の制御方法を説明するフローチャート。
【図４】前記実施形態におけるテレビジョン受信機の制御方法を説明するための図。
【符号の説明】
【００５９】
１・・・テレビジョン受信機（画像表示装置）、３・・・操作パネル（操作手段）、５・・・表示部（表示手段）、６・・・スピーカ（発音体）、７・・・制御装置（制御手段）、３１・・・操作キー、７６・・・メモリ（操作情報記憶部）、３１２・・・音量アップキー（音量調整キー）、３１３・・・音量ダウンキー（音量調整キー）、７５１・・・押下状態検出部、７５２・・・音量調整制御部、７５４・・・調整継続許否部、７５５・・・表示制御部、Ｓ２・・・押下状態検出ステップ、Ｓ４・・・消音モード切替ステップ。
【図１】
2007336072.tif 000003
【図２】
2007336072.tif 000004
【図３】
2007336072.tif 000005
【図４】
2007336072.tif 000006